(57)【特許請求の範囲】
【請求項１】
ミシンアーム部と、シリンダーベッド部と、このシリンダーベッド部の作業者対向側に装着される正面カバーと、を備え、テープ送りを伴う縫製とテープ送りを伴わない標準の縫製を行うことができるミシンフレームにおいて、
前記正面カバーは、
テープ送りを伴う縫製用のアタッチメントを装着可能なテープ送り用ブラケットと、
標準の縫製用のアタッチメントを装着可能な標準用ブラケット、のいずれかを選択的に取付け可能な構造であることを特徴とするミシンフレーム。
【発明の詳細な説明】
【０００１】
【発明の属する技術分野】
本発明はミシンフレームに係り、特に、テープ送りを伴う縫製とテープ送りを伴わない標準の縫製を行うことができるシリンダーベッドタイプのミシンのミシンフレームに関する。
【０００２】
【従来の技術】
被縫製物にテープを縫い付けるために縫製位置へテープを送るテープ送り装置を備えたミシンは従来から公知である。この種のミシンでは、テープ送りを伴わない通常の縫製（標準の縫製）を行うこともできる。また、ミシンベッドとして、シリンダーベッドを用いることも従来から公知である。図２は、テープ送り装置及びシリンダーベッドを備えたミシンのミシンフレーム主要部を示す図である。
【０００３】
このミシンフレーム１はシリンダーベッド部１１とミシンアーム部１２を備えている。このミシンには作業者側に向けて正面カバーが取り付けられるが、その正面カバーには、縫製に必要なアタッチメントが装着される。このアタッチメントの種類及び取り付け位置はテープを使用する縫製条件の場合と標準の縫製条件の場合では異なる。
【０００４】
このためテープ送り装置及びシリンダーベッドを備えたミシンには、各アタッチメントの種類及び取り付け位置に対応して２種類の正面カバー、すなわち標準正面カバー２０及びテープ送り用正面カバー３０が備え付けられている。そして、標準の縫製条件では、標準正面カバー２０を取り付けて縫製を行う。一方、テープを使用する縫製条件ではテープ送り用正面カバー３０をシリンダーベッド部１１の正面側へ取り付けて縫製を行う。
【０００５】
標準正面カバー２０は、標準の縫製用のアタッチメントを取り付けられる構造となっている。一方テープ送り用正面カバー３０はテープ送りを伴う縫製用のアタッチメントを取り付けられる構造となっている。
【０００６】
次に図３を用いてテープ送り用正面カバー３０の構造をより詳しく説明する。テープ送り用正面カバー３０にはアタッチメントＡを取り付けるための取り付け部３０Ａと、アタッチメントＢを取り付けるための取り付け部３０Ｂと、テープ送り用正面カバー３０自体をミシンフレーム１へ取り付けるための取り付け部３０Ｃを備える。これらアタッチメントＡ，Ｂはいずれもテープ送り用のもので、それぞれミシンフレーム１上での取り付け位置が決められている。なお、標準正面カバー２０にはアタッチメントＡ，Ｂのいずれも取り付けられない構造となっている。
【０００７】
【発明が解決しようとする課題】
上述のように、従来のテープ送り装置及びシリンダーベッドを備えたミシンにおいては、縫製条件の変更に伴って正面カバーを変更、交換する工程が必要となる。また、２種類の正面カバーを備える必要があるのでコストが高くなる。
【０００８】
従って、本発明の目的は、上記種類のミシンのミシンフレームにおいて、このような正面カバーを交換する工程を省略して縫製時間を短縮することができるミシンフレームを提供することにある。
【０００９】
また、本発明の他の目的は、上記種類のミシンのミシンフレームにおいて、２種類の正面カバーを備え付ける必要がなく、従ってコストを低減することができるミシンフレームを提供することにある。
【００１０】
【課題を解決するための手段】
上記目的を達成するため、本発明によれば、ミシンアーム部と、シリンダーベッド部と、このシリンダーベッド部の作業者対向側に装着される正面カバーと、を備え、テープ送りを伴う縫製とテープ送りを伴わない標準の縫製を行うことができるミシンのミシンフレームにおいて、前記正面カバーは、テープ送りを伴う縫製用のアタッチメントを装着可能なテープ送り用ブラケットと、標準の縫製用のアタッチメントを装着可能な標準用ブラケット、のいずれかを選択的に取付け可能な構造であることを特徴とするミシンフレームが提供される。
【００１１】
【発明の実施の形態】
以下、図面に基づいて本発明の実施の形態を説明する。
図１において、ミシンフレーム１はシリンダーベッド部１１とミシンアーム部１２と、このシリンダーベッド部１１の作業者対向側に装着される正面カバー２を備える。このミシンフレーム１は、二重環縫い又は偏平縫いの縫い目を形成するミシンのフレームである。
【００１２】
前記正面カバー２は、テープ送りを伴う縫製用のアタッチメントＡを装着可能なテープ送り用ブラケット３と、テープ送りを伴わない縫製用のアタッチメントＣを装着可能な標準用ブラケット４、の何れか一方を選択的に取付け可能な構造である。
そして、標準用ブラケット４を取り外すと、テープ送りを伴う縫製用のアタッチメントＢを正面カバーの取りつけ部２Ｂに装着することができる。
【００１３】
正面カバー２には、テープ送り用ブラケット３を取り付けるための取り付け部２Ａと、図３のアタッチメントＢを取り付けるための取り付け部２Ｂと、正面カバー２自体をミシンフレーム１へ取り付けるための取り付け部２Ｃと、標準用ブラケット４を取り付けるための取り付け部２Ｄを備える。
【００１４】
テープ送り用ブラケット３の取り付け部３Ａには、図３のアタッチメントＡが取り付け可能となっている。一方、標準用ブラケット４は標準の縫製用のアタッチメントＣを取り付けることができる構造となっている。
【００１５】
標準の縫製条件のときには標準用ブラケット４を正面カバー２に取り付けた後、必要ならばアタッチメントＣを装着して縫製を行う。
また、テープを使用する縫製条件のときには、標準用ブラケット４を取り外した後、テープ送り用ブラケット３を正面カバー２に取り付ける。そして、正面カバー２にアタッチメントＢを、テープ送り用ブラケット３にアタッチメントＡを、それぞれ取りつけて縫製を行う。
【００１６】
従って、縫製条件が変更になったときは、正面カバー２を変更することなく、標準用ブラケット４、テープ送り用ブラケット３の変更のみで対応することができる。
また、カバーではなく、ブラケット３，４を交換する方式であるため、コストを削減することができる。
【００１７】
【発明の効果】
本発明によれば、ミシンアーム部と、シリンダーベッド部と、このシリンダーベッド部の作業者対向側に装着される正面カバーと、を備え、テープ送りを伴う縫製とテープ送りを伴わない標準の縫製を行うことができるミシンのミシンフレームにおいて、前記正面カバーは、テープ送りを伴う縫製用のアタッチメントを装着可能なテープ送り用ブラケットと、標準の縫製用のアタッチメントを装着可能な標準用ブラケット、のいずれかを選択的に取付け可能な構造としたので、縫製条件が変更となったときは、正面カバーを変更することなく、標準用ブラケット、テープ送り用ブラケットの変更のみで対応することができる。また、カバーではなく、ブラケットを交換する方式であるため、コストを削減することができる。
【図面の簡単な説明】
【図１】本発明の実施の形態によるミシンフレームを示す斜視図である。
【図２】従来例によるミシンフレーム主要部を示す斜視図である。
【図３】従来例によるテープ送り用ブラケットに取り付けられる部品を示す分解斜視図である。
【符号の説明】
１  ミシンフレーム
２  正面カバー
３  テープ送り用ブラケット
４  標準用ブラケット
１１  シリンダーベッド部
１２  ミシンアーム部
【図１】
0004588918.tif 000002
【図２】
0004588918.tif 000003
【図３】
0004588918.tif 000004